(57)【要約】【課題】ネットワークを介して指定ウェブの画像をマルチメディア表示装置にインストールすることを可能にする無線ＬＡＮアクセスポイントによるデータ保存読取装置を提供する。【解決手段】無線ＬＡＮアクセスポイントによるデータ保存読取装置１は、本体２にデータ保存読取機能を提供するため、本体２に接続される無線ＬＡＮアクセスポイントによるデータ保存読取装置１であって、マイクロプロセッサー１１、ＵＳＢ出力および入力モジュール１２、無線ネットワークモジュール１３およびメモリ１５を備える。ＵＳＢ出力および入力モジュール１２は、マイクロプロセッサー１１に電気的に接続され、かつ本体のＵＳＢ伝送ポートに接続される伝送インターフェース２１を有する。【選択図】  図１
0003148263.tif 000002
【実用新案登録請求の範囲】
【請求項１】
本体にデータ保存読取機能を提供するため、本体に接続される無線ＬＡＮアクセスポイントによるデータ保存読取装置であって、
マイクロプロセッサー、ＵＳＢ出力および入力モジュール、無線ネットワークモジュールおよびメモリを備え、
前記ＵＳＢ出力および入力モジュールは、前記マイクロプロセッサーに電気的に接続され、かつ前記本体のＵＳＢ伝送ポートに接続される伝送インターフェースを有し、
前記無線ネットワークモジュールは、前記マイクロプロセッサーに電気的に接続され、ネットワークの電信受信および発信に用いられ、
前記メモリは、前記マイクロプロセッサーに電気的に接続され、第一保存区および第二保存区を有し、前記第一保存区は前記マイクロプロセッサーの保存および読取にのみ用いられ、かつ前記無線ネットワークモジュールを駆動するドライバーと、前記無線ネットワークモジュールによってネットワークに接続するアクセスソフトウェアとを有し、前記第二保存区は、前記本体が前記ＵＳＢ出力および入力モジュールによってデータの保存および読取を行う際に用いられ、かつ前記アクセスソフトウェアが前記ネットワークによってダウンロードしたデータを保存することを特徴とする無線ＬＡＮアクセスポイントによるデータ保存読取装置。
【請求項２】
前記ＵＳＢ出力および入力モジュールは、ＵＳＢ準拠インターフェース規格、Ｍｉｎｉ  ＵＳＢ準拠インターフェース規格およびＵＳＢ  Ｏｎ−Ｔｈｅ−Ｇｏ拡張に準拠したインターフェース規格であることを特徴とする請求項１に記載の無線ＬＡＮアクセスポイントによるデータ保存読取装置。
【請求項３】
前記ＵＳＢ出力および入力モジュールと接続する前記本体は、ＰＤＡ、携帯電話、デジタルフォトフレーム、デジタルカメラ、携帯式メディアプレイヤー、パームトップゲーム機、コンピューター、ノートパソコン、ボード式コンピューターまたはＵＳＢインターフェースを有する装置であることを特徴とする請求項１に記載の無線ＬＡＮアクセスポイントによるデータ保存読取装置。
【請求項４】
前記無線ネットワークモジュールは、Ｗｉ−Ｆｉ準拠ネットワークモジュール、ＩＥＥＥ８０２．１１準拠ネットワークモジュール、ＩＥＥＥ８０２．１１ａ準拠ネットワークモジュール、ＩＥＥＥ８０２．１１ｂ準拠ネットワークモジュール、ＩＥＥＥ８０２．１１ｇ準拠ネットワークモジュール、ＩＥＥＥ８０２．１１ｉ準拠ネットワークモジュールまたはＩＥＥＥ８０２．１１ｎ準拠ネットワークモジュールであることを特徴とする請求項１に記載の無線ＬＡＮアクセスポイントによるデータ保存読取装置。
【請求項５】
前記無線ネットワークモジュールは、ＷｉＭＡＸ準拠互換規格、ＩＥＥＥ８０２．１６ｄ準拠ネットワークモジュールまたはＩＥＥＥ８０２．１６ｅ準拠ネットワークモジュールであることを特徴とする請求項１に記載の無線ＬＡＮアクセスポイントによるデータ保存読取装置。
【請求項６】
前記無線ネットワークモジュールは、さらにモバイルネットワークユニットを有し、前記モバイルネットワークユニットは、携帯電話サービスを提供可能なＳＩＭカードに電気的に接続されるインターフェースを有し、前記モバイルネットワークユニットは無線モバイルネットワークの電信受信および発信に用いるため、前記ネットワークに接続され、前記第一保存区は、さらにモバイルネットワークユニットを駆動するドライバーを有することを特徴とする請求項１に記載の無線ＬＡＮアクセスポイントによるデータ保存読取装置。
【請求項７】
前記ＳＩＭカードは、汎用パケット無線システムサービス、第三世代モバイル通信、高速下りパケット通信、高速上りパケット通信または第四世代モバイル通信の伝送技術に準拠するものであることを特徴とする請求項６に記載の無線ＬＡＮアクセスポイントによるデータ保存読取装置。
【請求項８】
前記アクセススソフトウェアは、ミドルウェアサーバーとの接続に用いられ、かつミドルウェアサーバーに識別コードを送信し、前記ミドルウェアサーバーは、ユーザーの相関データとリモートサーバーに接続される対応データとを保存するユーザーデータベースを有し、前記識別コードが前記ミドルウェアサーバーに認識されると、前記アクセスソフトウェアは、前記ユーザーデータベースのうちの前記リモートサーバーに接続される前記対応データに従って、前記リモートサーバーに接続し、前記リモートサーバー上の対応するマルチメディアデータを前記第二保存区に回送、保存することを特徴とする請求項１に記載の無線ＬＡＮアクセスポイントによるデータ保存読取装置。
【考案の詳細な説明】
【技術分野】
【０００１】
本考案は、データ保存読取装置、詳しくは、無線ＬＡＮアクセスポイントによるデータ保存・読取装置に関するものである。
【背景技術】
【０００２】
従来のデジタルフォトフレームなどのマルチメディア表示装置は、使用する際、データ保存読取装置が設置された後、マルチメディア表示装置は、データ保存読取装置に保存されたマルチメディアフォトなどを読み取り、ダウンロードし、そののち表示することが可能である。しかしながら、従来のマルチメディア表示装置は、無線ネットワークを介してマルチメディアウェブサイドに接続することによってマルチメディア画像の保存、読取を行うことはできない。
【０００３】
従来のマルチメディア表示装置を、無線ネットワーク接続装置などに外接させるとき、無線ネットワーク接続装置に対応したドライバーをインストールする必要がある。しかしながら、必ずしもあらゆるマルチメディア表示装置に別途ドライバーをインストールできるとは限らない。そのうえ異なる無線ネットワーク接続装置ならば異なるドライバーをインストールする必要があるため、使用の際のインストールが面倒で、マルチメディア表示装置のメモリ容量を大量に占拠してしまうという問題が起こる。
【考案の開示】
【考案が解決しようとする課題】
【０００４】
本考案の主な目的は、上述した問題を解決するため、データ保存読取装置に無線ネットワークモジュール、メモリおよびマクロプロセッサーに設置することによってデータ保存読取装置とマルチメディア表示装置とを接続させ、ネットワークを介して指定ウェブの画像をマルチメディア表示装置にインストールすることを可能にする無線ＬＡＮアクセスポイントによるデータ保存読取装置を提供することである。
【課題を解決するための手段】
【０００５】
無線ＬＡＮアクセスポイントによるデータ保存読取装置は、本体にデータ保存読取機能を提供するため、本体に接続される無線ＬＡＮアクセスポイントによるデータ保存読取装置であって、マイクロプロセッサー、ＵＳＢ出力および入力モジュール、無線ネットワークモジュールおよびメモリを備える。ＵＳＢ出力および入力モジュールは、マイクロプロセッサーに電気的に接続され、かつ本体のＵＳＢ伝送ポートに接続される伝送インターフェースを有する。無線ネットワークモジュールは、マイクロプロセッサーに電気的に接続され、ネットワークの電信受信および発信に用いられる。メモリは、マイクロプロセッサーに電気的に接続され、第一保存区および第二保存区を有する。第一保存区は、マイクロプロセッサーの保存および読取にのみ用いられ、かつ無線ネットワークモジュールを駆動するドライバーと、無線ネットワークモジュールによってネットワークに接続するアクセスソフトウェアとを有する。第二保存区は、本体がＵＳＢ出力および入力モジュールによってデータの保存および読取を行う際に用いられ、かつアクセスソフトウェアがネットワークによってダウンロードしたデータを保存することを特徴とする。
【考案を実施するための最良の形態】
【０００６】
以下、本発明によるモバイル通信プラットフォームが異質プラットフォームに跨るマルチメディア伝送システムの実施の形態を図面に基づいて説明する。
図１から図４に示すのは、本考案の実施形態の構造を説明するための例であるため、この実施形態に請求範囲が制限されるものではない。
【０００７】
（一実施形態）
本実施形態による無線ＬＡＮアクセスポイントによるデータ保存読取装置１は、本体２にデータ保存読取機能を提供するため、本体２に接続され、かつマイクロプロセッサー１１、ＵＳＢ出力および入力モジュール１２、無線ネットワークモジュール１３およびメモリ１５を備える。
【０００８】
ＵＳＢ出力および入力モジュール１２は、マイクロプロセッサー１１に電気的に接続され、かつ本体２のＵＳＢ伝送ポートに接続される伝送インターフェース２１を有する。本実施形態において、ＵＳＢ出力および入力モジュール１２は、ＵＳＢ準拠インターフェース規格、Ｍｉｎｉ  ＵＳＢ準拠インターフェース規格およびＵＳＢ  Ｏｎ−Ｔｈｅ−Ｇｏ拡張に準拠したインターフェース規格である。
【０００９】
ＵＳＢ出力および入力モジュール１２と接続する本体２は、ＰＤＡ、携帯電話、デジタルフォトフレーム、デジタルカメラ、携帯式メディアプレイヤー、パームトップゲーム機、コンピューター、ノートパソコン、ボード式コンピューターまたはＵＳＢインターフェースを有する任意の装置などである。
【００１０】
無線ネットワークモジュール１３は、マイクロプロセッサー１１に電気的に接続され、ネットワークの電信受信および発信に用いられる。本実施形態において、無線ネットワークモジュール１３は、Ｗｉ−Ｆｉ準拠ネットワークモジュール、ＩＥＥＥ８０２．１１準拠ネットワークモジュール、ＩＥＥＥ８０２．１１ａ準拠ネットワークモジュール、ＩＥＥＥ８０２．１１ｂ準拠ネットワークモジュール、ＩＥＥＥ８０２．１１ｇ準拠ネットワークモジュール、ＩＥＥＥ８０２．１１ｉ準拠ネットワークモジュールまたはＩＥＥＥ８０２．１１ｎ準拠ネットワークモジュールである。
【００１１】
無線ネットワークモジュール１３は、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓ）準拠互換規格、ＩＥＥＥ８０２．１６ｄ準拠ネットワークモジュールまたはＩＥＥＥ８０２．１６ｅ準拠ネットワークモジュールである。
【００１２】
無線ネットワークモジュール１３は、さらにモバイルネットワークユニットを有する。モバイルネットワークユニットは、携帯電話サービスを提供可能なＳＩＭカード３に電気的に接続されるインターフェース１４を有し、かつ無線モバイルネットワークの電信受信および発信に用いるため、ネットワークに接続される。第一保存区は、さらにモバイルネットワークユニットを駆動するドライバーを有する。ＳＩＭカード３は、汎用パケット無線システムサービス（Ｇｅｎｅｒａｌ  Ｐａｃｋｅｔ  Ｒａｄｉｏ  Ｓｅｒｖｉｃｅ，ＧＰＲＳ）、第三世代モバイル通信（３ｒｄ−ｇｅｎｅｒａｔｉｏｎ，３Ｇ）、高速下りパケット通信（Ｈｉｇｈ  Ｓｐｅｅｄ  Ｄｏｗｎｌｉｎｋ  Ｐａｃｋｅｔ  Ａｃｃｅｓｓ，ＨＳＤＰＡ）、高速上りパケット通信（Ｈｉｇｈ  Ｓｐｅｅｄ  Ｕｐｌｉｎｋ  Ｐａｃｋｅｔ  Ａｃｃｅｓｓ，ＨＳＵＰＡ）または第四世代モバイル通信（４ｔｈ−ｇｅｎｅｒａｔｉｏｎ，４Ｇ）などの伝送技術に準拠するものである。
【００１３】
メモリ１５は、マイクロプロセッサー１１に電気的に接続され、第一保存区１５１および第二保存区１５２を有する。第一保存区１５１はマイクロプロセッサー１１の保存および読取にのみ用いられ、かつ無線ネットワークモジュール１３を駆動するドライバーと、無線ネットワークモジュール１３によってネットワークに接続するアクセスソフトウェアとを有する。第二保存区１５２は、本体２がＵＳＢ出力および入力モジュール１２によってデータの保存および読取を行う際に用いられ、かつアクセスソフトウェアがネットワークによってダウンロードしたデータを保存する。
【００１４】
本実施形態において、アクセススソフトウェアは、ミドルウェアサーバー４との接続に用いられ、かつミドルウェアサーバー４に識別コードを送信する。ミドルウェアサーバー４は、ユーザーの相関データとリモートサーバー５に接続される対応データとを保存するユーザーデータベースを有する。識別コードがミドルウェアサーバー４に認識されると、アクセスソフトウェアは、ユーザーデータベース内に保存された内容に従って、所定のリモートサーバー５に接続し、リモートサーバー５上の対応するマルチメディアデータを第二保存区１５２に回送、保存する。
【００１５】
上述した説明により、本実施形態による無線ＬＡＮアクセスポイントによるデータ保存・読取装置１は一般のデータ保存に用いられることであるほかに、無線ネットワークモジュール１３を増設することによってネットワークに接続し、データを伝送することが可能であるため、マルチメディアウェブの指定フォトをマルチメディア表示装置２にダウンロードすることが可能となる。従って、従来のＵＳＢ出力及び入力モジュール１２を使用する、無線ＬＡＮアクセスポイントによるデータ保存読取装置１に無線接続機能を持たすことが本考案の要点である。
【図面の簡単な説明】
【００１６】
【図１】本考案の一実施形態による無線ＬＡＮアクセスポイントによるデータ保存読取装置がマルチメディア表示装置に接続された状態を示す模式図である。
【図２】本考案の一実施形態による無線ＬＡＮアクセスポイントによるデータ保存読取装置を示す模式図である。
【図３】本考案の一実施形態による無線ＬＡＮアクセスポイントによるデータ保存読取装置が無線ネットワークモジュールによってマルチメディア画像の保存・読取を行う使用状態を示す模式図である。
【図４】本考案の一実施形態による無線ＬＡＮアクセスポイントによるデータ保存・読取装置がＳＩＭカードに接続された状態を示す模式図である。
【符号の説明】
【００１７】
１：無線ＬＡＮアクセスポイントによるデータ保存読取装置、１１：マイクロプロセッサー、１２：ＵＳＢ出力および入力モジュール、１３：無線ネットワークモジュール、１４：接続インターフェース、１５：メモリ、１５１：第一保存区、１５２：第二保存区、２：本体、２１：伝送インターフェース、３：ＳＩＭカード、４：ミドルウェアサーバー、５：リモートサーバー
【図１】
0003148263.tif 000003
【図２】
0003148263.tif 000004
【図３】
0003148263.tif 000005
【図４】
0003148263.tif 000006
【手続補正書】
【提出日】平成20年11月25日(2008.11.25)
【手続補正１】
【補正対象書類名】実用新案登録請求の範囲
【補正対象項目名】請求項４
【補正方法】変更
【補正の内容】
【請求項４】
前記無線ネットワークモジュールは、Ｗｉ−Ｆｉ（登録商標）準拠ネットワークモジュール、ＩＥＥＥ８０２．１１準拠ネットワークモジュール、ＩＥＥＥ８０２．１１ａ準拠ネットワークモジュール、ＩＥＥＥ８０２．１１ｂ準拠ネットワークモジュール、ＩＥＥＥ８０２．１１ｇ準拠ネットワークモジュール、ＩＥＥＥ８０２．１１ｉ準拠ネットワークモジュールまたはＩＥＥＥ８０２．１１ｎ準拠ネットワークモジュールであることを特徴とする請求項１に記載の無線ＬＡＮアクセスポイントによるデータ保存読取装置。
【手続補正２】
【補正対象書類名】実用新案登録請求の範囲
【補正対象項目名】請求項５
【補正方法】変更
【補正の内容】
【請求項５】
前記無線ネットワークモジュールは、ＷｉＭＡＸ（登録商標）準拠互換規格、ＩＥＥＥ８０２．１６ｄ準拠ネットワークモジュールまたはＩＥＥＥ８０２．１６ｅ準拠ネットワークモジュールであることを特徴とする請求項１に記載の無線ＬＡＮアクセスポイントによるデータ保存読取装置。
【手続補正３】
【補正対象書類名】明細書
【補正対象項目名】００１０
【補正方法】変更
【補正の内容】
【００１０】
無線ネットワークモジュール１３は、マイクロプロセッサー１１に電気的に接続され、ネットワークの電信受信および発信に用いられる。本実施形態において、無線ネットワークモジュール１３は、Ｗｉ−Ｆｉ（登録商標）準拠ネットワークモジュール、ＩＥＥＥ８０２．１１準拠ネットワークモジュール、ＩＥＥＥ８０２．１１ａ準拠ネットワークモジュール、ＩＥＥＥ８０２．１１ｂ準拠ネットワークモジュール、ＩＥＥＥ８０２．１１ｇ準拠ネットワークモジュール、ＩＥＥＥ８０２．１１ｉ準拠ネットワークモジュールまたはＩＥＥＥ８０２．１１ｎ準拠ネットワークモジュールである。
【手続補正４】
【補正対象書類名】明細書
【補正対象項目名】００１１
【補正方法】変更
【補正の内容】
【００１１】
無線ネットワークモジュール１３は、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓ）（登録商標）準拠互換規格、ＩＥＥＥ８０２．１６ｄ準拠ネットワークモジュールまたはＩＥＥＥ８０２．１６ｅ準拠ネットワークモジュールである。